(57)【要約】【課題】ピルファープルーフバンドが注出口においてがたつくことなく、また、故意にピルファープルーフバンドを外すことを困難としたピルファープルーフバンド付きキャップを提供することを目的とする。【解決手段】下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップであって、前記複数のつなぎは、通常のつなぎと、該通常のつなぎより大なる形状の抜け防止つなぎと、からなることを特徴とする、ピルファープルーフバンド付きキャップである。【選択図】図６
2008037478.tif 000002
【特許請求の範囲】
【請求項１】
下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップであって、前記複数のつなぎは、通常のつなぎと、該通常のつなぎより大なる形状の抜け防止つなぎと、からなることを特徴とする、ピルファープルーフバンド付きキャップ。
【請求項２】
前記抜け防止つなぎは、前記ピルファープルーフバンドの、１の前記フラップと、隣り合う他のフラップとの間に形成されることを特徴とする、請求項１記載のピルファープルーフバンド付きキャップ。
【請求項３】
前記抜け防止つなぎは、前記通常のつなぎより縦方向に高い形状を有することを特徴とする、請求項１乃至２記載のピルファープルーフバンド付きキャップ。
【発明の詳細な説明】
【技術分野】
【０００１】
本発明は、注出口に係合された、下方に開口部を有する円筒形状のキャップ本体と、リング形状の内側に複数のフラップを有するピルファープルーフバンドと、が初期開封時に切断される複数のつなぎを介して連結された、ピルファープルーフバンド付きキャップに関する。
【背景技術】
【０００２】
従来、ペットボトルの注出口や、ゼリー飲料、栄養ドリンク剤、その他種々の飲食品を充填包装したプラスチック性軟包装用袋容器などの注出口には、キャップ開栓の有無を容易に識別可能とするため、キャップ本体と、キャップ本体の下端に、複数のつなぎを介して連結された、注出口本体から抜くことのできない構造のピルファープルーフバンドを備えたキャップが装着されている（例えば特許文献１）。そして、このピルファープルーフバンド付きキャップは、初期開封時において、キャップを開栓すると、前記複数のつなぎが破断され、ピルファープルーフバンドが注出口の下方空間（バンドスペース）に残るため、開栓の有無を見分けることが可能である。
【０００３】
【特許文献１】特開２００４-３１５００８号公報
【発明の開示】
【発明が解決しようとする課題】
【０００４】
しかし、このようなピルファープルーフバンドを備えたキャップは、ピルファープルーフバンドと注出口との隙間が比較的多く存在するため、ピルファープルーフバンドががたついてしまうという問題があった。また、故意にピルファープルーフバンドを端に寄せて注出口より抜き取ることができてしまうという欠点があった。
【０００５】
そこで、本発明は、ピルファープルーフバンドが注出口においてがたつくことなく、また、故意にピルファープルーフバンドを外すことを困難としたピルファープルーフバンド付きキャップを提供することを目的とする。
【課題を解決するための手段】
【０００６】
上記課題を解決すべく、本発明の請求項１は、下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップであって、前記複数のつなぎは、通常のつなぎと、該通常のつなぎより大なる形状の抜け防止つなぎと、からなることを特徴とする、ピルファープルーフバンド付きキャップである。
【０００７】
また、本発明の請求項２は、前記抜け防止つなぎは、前記ピルファープルーフバンドの、１の前記フラップと、隣り合う他のフラップとの間に形成されることを特徴とする、ピルファープルーフバンド付きキャップである。
【０００８】
また、本発明の請求項３は、前記抜け防止つなぎは、前記通常のつなぎより縦方向に高い形状を有することを特徴とする、ピルファープルーフバンド付きキャップである。
【発明の効果】
【０００９】
本発明の請求項１は、下方に開口部を有する円筒形状のキャップ本体と、リング形状の内側に複数のフラップを有するピルファープルーフバンドとが、初期開封時に切断される複数のつなぎを介して連結されたピルファープルーフバンド付きキャップであって、前記複数のつなぎは、通常のつなぎと、該通常のつなぎより大なる形状の抜け防止つなぎと、からなることを特徴とするから、ピルファープルーフバンドのがたつきを防止する効果がある。
【００１０】
また、請求項２記載の発明は、前記抜け防止つなぎは、前記ピルファープルーフバンドの、１の前記フラップと、隣り合う他のフラップとの間に形成されることを特徴とするから、抜け防止つなぎがフラップに干渉することがなく形状が限定されないため、様々な形状の抜け防止つなぎを形成することが可能である。
【００１１】
また、請求項３記載の発明は、前記抜け防止つなぎは、前記通常のつなぎより縦方向に高い形状を有することを特徴とするから、抜け防止つなぎの縦方向に高い形状の下部分が、注出口の凸リングに当接して、ピルファープルーフバンドのがたつきを防止することができるとともに、注出口から抜き取りにくい構成のピルファープルーフバンド付きキャップを提供することができる。
【発明を実施するための最良の形態】
【００１２】
本発明に係るピルファープルーフバンド付きキャップ４０は、図１（ａ）に示すように、初期開封前においては、ピルファープルーフバンド３０とキャップ本体２０とが一体で、注出口１０に係合されている。そして、図１（ｂ）に示すように、初期開封時にキャップ本体２０を開封方向に回動することにより、キャップ本体２０とピルファープルーフバンド３０とを繋ぐ、複数のつなぎ３を破断して、キャップ本体２０とピルファープルーフバンド３０とが分離され、ピルファープルーフバンド３０が下方へと落下することにより、初期開封が行われたことを示すピルファープルーフ性を示すものである。
【００１３】
まず、ピルファープルーフバンド付きキャップ４０を係合するための注出口１０は、詳しくは、図２に示すように、図示しないキャップ本体２０を螺着するための雄ネジ４が形成された、円筒部材からなるノズル部５と、該ノズル部５の下方に形成され、初期開封時にピルファープルーフバンド３０とキャップ本体２０とを繋ぐ、複数のつなぎ３を破断するためにピルファープルーフバンド３０の上方向への移動を阻止する部材である、凸リング６が形成されている。該凸リング６のさらに下方には、製造時において、機械の保持手により注出口１０を保持するため、略等間隔を隔てて配置された複数の平板状のフランジ８が形成されている。そして、前記凸リング６と前記フランジ８との間には、図示しないピルファープルーフバンド３０を収容、保持するための円筒部材からなる空間９（バンドスペース９）が形成されている。
【００１４】
この注出口１０に係合するためのピルファープルーフバンド付きキャップ４０（キャップ４０）は、図３に示すように、内部にネジ山２６が形成されたキャップ本体２０と、該キャップ本体２０に複数のつなぎ３を介して連結されるピルファープルーフバンド３０とが、一体に形成されている。ピルファープルーフバンド３０の内周には、斜め上方を向いた板形状の複数の羽根部材Ｆ（フラップＦ）が形成されており、このフラップＦの先端部分が、図示しない、注出口１０の前記凸リング６の底面に接することにより、初期開封時において、ピルファープルーフバンド３０の上方向への移動を阻止して、キャップ本体２０とピルファープルーフバンド３０とを連結している複数のつなぎ３のみを破断する構成である。
【００１５】
通常、ピルファープルーフバンド３０と、キャップ本体２０とを接続する複数のつなぎ３は、図４（ａ）に示すように、同形状からなるつなぎ３（通常のつなぎ３）が、ピルファープルーフバンド３０の内周面に等間隔に複数配置されている。そして、図４（ｂ）に示すように、この複数のつなぎ３は同一の高さからなる同一形状の部材である。そして、このつなぎ３はピルファープルーフバンド３０の移動や傾きを抑える等の作用はなく、単にキャップ本体２０とピルファープルーフバンド３０とを接続するための部材に過ぎなかった。
【００１６】
本発明のピルファープルーフバンド付きキャップ４０では、このつなぎ３に工夫を講じることにより、ピルファープルーフバンド３０が、注出口１０においてがたつくことを防止し、かつ注出口から故意に抜き取りにくい構成とすることが可能である。以下、本発明のピルファープルーフバンド３０のつなぎ（３、７）について説明する。
【００１７】
まず、従来のピルファープルーフバンド３０'は、初期開封前は、図５（ａ）に示すように、キャップ本体２０とピルファープルーフバンド３０'とが連結されており、初期開封後において、図５（ｂ）に示すように、ピルファープルーフバンド３０'がキャップ本体２０より分離されて、下方へと落下する構成である。そして、初期開封後のピルファープルーフバンド３０'と注出口１０とは、フラップの先端部分のみが接している状態のため、振動等によりピルファープルーフバンド３０'のつなぎ３部分が容易に凸リング６を乗り越えてしまい、ピルファープルーフバンド３０'のがたつきの原因となっていた。また、故意にピルファープルーフバンド３０'を端に寄せて、注出口１０から抜き取ることができてしまうという欠点があった。
【００１８】
そこで、本発明のピルファープルーフバンド３０は、一部のつなぎ７を通常のつなぎ３より大なる形状を有する抜け防止つなぎ７とすることにより、ピルファープルーフバンド３０のがたつきを防止し、注出口から故意に抜き取りにくい構成とすることが可能である。
【００１９】
本発明のピルファープルーフバンド３０は、図６に示すように、ピルファープルーフバンド３０の内周に形成された複数のつなぎ３のうち、隣り合うフラップＦ間に形成された６個の抜け防止つなぎ７は、通常のつなぎ３に比べて縦方向の高さを高く形成している。そして、図７（ａ）に示すように、初期開封前の状態では、ピルファープルーフバンド３０の抜け防止つなぎ７の下端部分ａが、注出口の凸リング６に当接して、ピルファープルーフバンド３０のがたつきを防止することが可能である。また、キャップ開封後、図７（ｂ）に示すように、キャップ２０と分離したピルファープルーフバンド３０が下方へ落下した際も、抜け防止つなぎ７の上端部分７ｂが、凸リング６に接しているため、ピルファープルーフバンド３０のがたつきを抑えることが可能である。さらには、図７（ｃ）に示すように、振動等によりピルファープルーフバンド３０が傾いた際にも、抜け防止つなぎ７の上端部分７ｂと下端部分７ａとが、直ちに凸リング６に当接するため、ピルファープルーフバンドの傾きを抑えることが可能である。よって、ピルファープルーフバンドが分離した後、ピルファープルーフバンドを故意に外そうと、片側にピルファープルーフバンドを寄せたり、斜めにしたりしても、ピルファープルーフバンドのがたつきが少ないため、ピルファープルーフバンドを外しにくいという効果がある。
【００２０】
このように、本発明のピルファープルーフバンド付きキャップ４０のピルファープルーフバンド３０は、一部のつなぎ７が、他のつなぎ３（通常のつなぎ）より縦方向に高い形状を有する大なる形状からなる抜け防止つなぎ７となっており、ピルファープルーフバンドのがたつきを防止することができるとともに、注出口から抜き取りにくい構成のピルファープルーフバンド付きキャップを提供することが可能である。
【００２１】
前記抜け防止つなぎ７は、フラップＦの裏側に形成しても良いが、フラップＦの動きを妨げないよう、つなぎ７の形状が制限されるため、１のフラップＦと隣り合う、他のフラップＦとの間に、抜け防止つなぎ７を形成することが望ましい。
【図面の簡単な説明】
【００２２】
【図１】（ａ）初期開封前のピルファープルーフバンド付きキャップを示す図、（ｂ）初期開封後のキャップ本体と、ピルファープルーフバンドとを示す図。
【図２】注出口を示す（ａ）断面図と（ｂ）斜視図。
【図３】ピルファープルーフバンド付きキャップを示す一部切断斜視図。
【図４】ピルファープルーフバンドの（ａ）上面視図と（ｂ）斜視図。
【図５】注出口とピルファープルーフバンドとの関係を示す（ａ）初期開封前の状態を示す断面図と（ｂ）初期開封後、ピルファープルーフバンドが傾いた状態を示す断面図。
【図６】本発明のピルファープルーフバンドを示す斜視図。
【図７】注出口とピルファープルーフバンドとの関係を示す（ａ）初期開封前の状態を示す断面図と（ｂ）初期開封後の状態を示す断面図と（ｃ）ピルファープルーフバンドが傾いた状態を示す断面図。
【符号の説明】
【００２３】
３  つなぎ（通常のつなぎ）
４  雄ネジ
５  ノズル部
６  凸リング
７  抜け防止つなぎ
８  フランジ
９  バンドスペース
１０  注出口
２０  キャップ本体
２６  ネジ山
３０  ピルファープルーフバンド
４０  ピルファープルーフバンド付きキャップ（キャップ）
Ｆ  フラップ（羽根部材）
【図１】
2008037478.tif 000003
【図２】
2008037478.tif 000004
【図３】
2008037478.tif 000005
【図４】
2008037478.tif 000006
【図５】
2008037478.tif 000007
【図６】
2008037478.tif 000008
【図７】
2008037478.tif 000009